(57)【要約】【課題】特定の操作釦を認識し易く、且つ押圧操作性を損なうことなく、他の操作釦とも視覚上違和感のない携帯電話機を提供する。【解決手段】携帯電話機１は、キャビネット３上に、多数の操作釦挿入孔３２、３２を配列し、何れか１つの操作釦挿入孔３２に嵌まる操作釦３０の上面上に、該操作釦３０認識用の突起４を設けている。該突起４を有する操作釦３０が嵌まる操作釦挿入孔３２の周縁部には、他の操作釦３１よりも大きな面取り４１又は円弧状の凹み４０が形成されている。該突起４を有する操作釦３０は、他の操作釦３１と上面形状が同じである。【選択図】　　図２
2004120273.tif 000002
【特許請求の範囲】
【請求項１】
キャビネット（３）上に、多数の操作釦挿入孔（３２）（３２）を配列し、何れかの操作釦挿入孔（３２）に嵌まる操作釦（３０）の上面上に、該操作釦（３０）認識用の突起（４）を設けた携帯電話機に於いて、
該突起（４）を有する操作釦（３０）が嵌まる操作釦挿入孔（３２）の周縁部には、他の操作釦（３１）よりも大きな面取り（４１）又は円弧状の凹み（４０）が形成され、
該突起（４）を有する操作釦（３０）は、他の操作釦（３１）と上面形状が同じであることを特徴とする携帯電話機。
【請求項２】
キャビネット（３）には、表示部（２０）を設けたキャビネット（２）がヒンジ（２１）接続され、突起（４）を有する操作釦（３０）は、他の操作釦（３１）よりも上面が低く形成され、両キャビネット（３）（２）が折り畳まれた状態で、突起（４）の先端と表示部（２０）との接触を防いでいる請求項１に記載の携帯電話機。
【発明の詳細な説明】
【０００１】
【発明の属する技術分野】
本発明は、何れかの操作釦の上面上に、該操作釦を認識するための突起を設けた携帯電話機に関する。
【０００２】
【従来の技術】
図５は、従来の携帯電話機（１）の斜視図であり、図６は、図５をＢ−Ｂ線を含む面にて破断した断面図である。これは、液晶パネル等の表示部（２０）を設けた第１キャビネット（２）と、多数の操作釦（３０）（３１）を配列した第２キャビネット（３）をヒンジ（２１）接続し、折り畳み可能に設けている。操作釦（３０）（３１）は、第２キャビネット（３）に開設された操作釦挿入孔（３２）（３２）に嵌まる。操作釦（３０）（３１）の下方には、基板（５）が設けられ、操作釦（３０）（３１）は基板（５）上の押しバネ（５０）によって上向きに付勢されている。基板（５）上には、操作釦（３０）（３１）に押し込まれるスイッチ（ＳＷ）が配備されている。
操作釦（３０）（３１）の内、数字の”５”の入力を割り当てられた操作釦（３０）には、視覚障害者の釦操作、及びブラインドタッチでの釦操作の操作性を向上させる為に、上面に突起（４）を設けている。
両キャビネット（３）（２）が折り畳まれた際に、突起（４）の先端が表示部（２０）に当たると、表示部（２０）に傷が付く虞れがある。そこで、突起（４）を設けた”５”の操作釦（３０）の上面は、他の操作釦（３１）よりも上面が低く形成され、突起（４）の先端は他の操作釦（３１）とは略同じ高さ又は稍低い位置にある。これにより、突起（４）による表示部（２０）の傷付きを防いでいる（例えば、特許文献１参照）。
また、従来の携帯電話機には、図７に示すように、”５”の操作釦（３０）の上面に、断面円弧状の凹み（４０）を形成し、該凹み（４０）上に突起（４）を設けたものもある。更に、図８及び図９に示すように、第２キャビネット（３）上にて、”５”の操作釦（３０）が嵌まる操作釦挿入孔（３２）の周縁部に操作釦（３０）（３１）の上面と略同じ高さ、或いは低い位置又は周縁部を低くし、該低くなった部分に、突起（４）を形成したものもある。
【０００３】
【特許文献１】
2004120273.tif 000003
【０００４】
【発明が解決しようとする課題】
図６に示す携帯電話機では、使用者の指（７）が”５”の操作釦（３０）を押圧操作するときに、指（７）の腹が操作釦挿入孔（３２）の周縁部に当たり、押圧操作しにくい問題がある。
図７に示す携帯電話機では、”５”の操作釦（３０）だけが断面円弧状に凹んでいるから、上から見たときに、他の操作釦（３１）とは視覚上の印象が異なる、即ち”５”の操作釦（３０）だけが際だって見え、視覚上違和感がある。また、他の操作釦（３１）とは、指触りが異なる点でも違和感があり、操作釦（３０）の周縁に指（７）が当たって突起（４）を認識しにくい問題もある。
図９に示す携帯電話機では、操作釦（３０）上に突起（４）を設けていないから、指が突起（４）に触れても、”５”の操作釦（３０）の位置を認識しにくい、即ち突起（４）が”５”の操作釦（３０）に対してどの位置にあるかが判らない問題がある。
本発明の目的は、特定の操作釦を認識し易く、且つ押圧操作性を損なうことなく、他の操作釦とも視覚上違和感のない携帯電話機を提供することにある。
【０００５】
【課題を解決する為の手段】
キャビネット（３）上に、多数の操作釦挿入孔（３２）（３２）を配列し、何れか１つの操作釦挿入孔（３２）に嵌まる操作釦（３０）の上面上に、該操作釦（３０）認識用の突起（４）を設けた携帯電話機に於いて、
該突起（４）を有する操作釦（３０）が嵌まる操作釦挿入孔（３２）の周縁部には、他の操作釦（３１）よりも大きな面取り（４１）又は円弧状の凹み（４０）が形成され、
該突起（４）を有する操作釦（３０）は、他の操作釦（３１）と上面形状が同じである。
【０００６】
【作用及び効果】
該突起（４）を有する操作釦（３０）を押した際に、指の腹は面取り（４１）又は円弧状の凹み（４０）に当たるから、操作釦（３０）の押圧操作は操作釦挿入孔（３２）の周縁部にて邪魔されることはなく、該操作釦（３０）を押しやすくなる。
また、該突起（４）を有する操作釦（３０）は、他の操作釦（３１）と上面形状が同じであるから、他の操作釦（３１）と視覚上又は指触りの点で違和感がなく、使い勝手がよい。
【０００７】
【発明の実施の形態】
以下、本発明の一例を図を用いて詳述する。
図１は、本例に関わる携帯電話機（１）の斜視図であり、図２は、図１をＡ−Ａ線を含む面にて破断した断面図である。従来と同様に、表示部（２０）を設けた第１キャビネット（２）と、多数の操作釦（３０）（３１）を配列した第２キャビネット（３）をヒンジ（２１）接続し、折り畳み可能に設けている。操作釦（３０）（３１）は、第２キャビネット（３）に開設された操作釦挿入孔（３２）（３２）に嵌まる。
数字の”５”の入力を割り当てられた操作釦（３０）には、視覚障害者の釦操作等の目的から、上面に突起（４）が設けられている。”５”の操作釦（３０）の上面は、他の操作釦（３１）よりも上面が低く形成されており、突起（４）の先端は他の操作釦（３１）とは略同じ高さ又は稍低い位置にある。これにより、キャビネット（３）（２）が折り畳まれた際に、突起（４）により表示部（２０）に傷が付く虞れを防いでいる。
【０００８】
”５”の操作釦（３０）が嵌まる操作釦挿入孔（３２）の周縁部には、他の操作釦（３１）よりも大きな円弧状の凹み（４０）が形成されている。該”５”の操作釦（３０）は、他の操作釦（３１）と上面形状が同じであり、また同じ材質、具体的には合成樹脂から形成されている。
図３は、図２のＤ部分の拡大図である。”５”の操作釦（３０）を押した際に、指（７）の腹は円弧状の凹み（４０）に当たるから、操作釦（３０）の押圧操作は操作釦挿入孔（３２）の周縁部にて邪魔されることはなく、該操作釦（３０）を押しやすくなる。指（７）が操作釦（３０）上の突起（４）に触れれば、該操作釦（３０）が”５”の操作釦（３０）であることを認識できる。
また、”５”の操作釦（３０）は、他の操作釦（３１）と上面形状及び材質が同じであるから、他の操作釦（３１）と視覚上又は指触りの点で違和感がなく、凹み（４０）は携帯電話機（１）を開いた際の意匠の特徴とすることができる。
【０００９】
尚、図４に示すように、操作釦挿入孔（３２）の周縁部には、凹み（４０）に代えて他の操作釦（３１）よりも大きな面取り（４１）を形成してもよい。該面取り（４１）を設けても、操作釦（３０）の押圧操作は操作釦挿入孔（３２）の周縁部にて邪魔されることはなく、該操作釦（３０）を押しやすくなる。
【００１０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、指の感触で認識する操作釦として、”５”の操作釦（３０）を例示したが、他の番号の操作釦でもよいのは、言うまでもない。
【図面の簡単な説明】
【図１】携帯電話機の斜視図である。
【図２】図１をＡ−Ａ線を含む面にて破断した断面図である。
【図３】図２のＤ部分の拡大図である。
【図４】図３の変形例を示す断面図である。
【図５】従来の携帯電話機の斜視図である。
【図６】図５をＢ−Ｂ線を含む面にて破断した断面図である。
【図７】別の携帯電話機の断面図である。
【図８】別の携帯電話機の斜視図である。
【図９】図８をＣ−Ｃ線を含む面にて破断した断面図である。
【符号の説明】
（２）　　第１キャビネット
（３）　　第２キャビネット
（４）　　突起
（３０）　　操作釦
（３１）　　操作釦
（３２）　　操作釦挿入孔
（４０）　　凹み
（４１）　　面取り
【図１】
2004120273.tif 000004
【図２】
2004120273.tif 000005
【図３】
2004120273.tif 000006
【図４】
2004120273.tif 000007
【図５】
2004120273.tif 000008
【図６】
2004120273.tif 000009
【図７】
2004120273.tif 000010
【図８】
2004120273.tif 000011
【図９】
2004120273.tif 000012